(57)【要約】      （修正有）【課題】異なる歯科技工士であっても、歯科用模型において、同様のクラスプラインを描けることができるサベイヤーに使用する記録部を提供する。【解決手段】サベイヤー１００に取り付けるための取り付け部１１と、その取り付け部１１に配置した筒状を呈する筒部２０と、その筒部２０の内部に移動可能に配置した筒状を呈する移動部３０と、取り付け部１１に、回転可能に保持された傾斜部１５と、その傾斜部１５に保持されたペンシル保持部４０と、を有し、移動部３０は、筒部２０の内部から外部に移動することで、ペンシル保持部４０が傾斜可能となり、ペンシル保持部４０が傾斜することで傾斜部１５が傾斜し、その傾斜を保持する記録部１０である。【選択図】図１
2020103404.tif 000002
【特許請求の範囲】
【請求項１】
サベイヤーに取り付けるための取り付け部と、
前記取り付け部に配置した筒状を呈する筒部と、
前記筒部の内部に移動可能に配置した筒状を呈する移動部と、
前記取り付け部に、回転可能に保持された傾斜部と、
前記傾斜部に保持されたペンシル保持部と、を有し、
前記移動部は、前記筒部の内部から外部に移動することで、前記ペンシル保持部が傾斜可能となり、前記ペンシル保持部が傾斜したときに前記傾斜部の傾斜を保持する記録部。
【請求項２】
前記移動部は、前記筒部の内部に移動可能に配置した筒状を呈する第１筒部と、
前記第１筒部の内部に移動可能に配置した筒状を呈する第２筒部と、を有し、
前記第１筒部または前記第２筒部のいずれか一方または双方を前記筒部の内部から外部に移動することで、前記ペンシル保持部が傾斜可能となり、前記ペンシル保持部が傾斜したときに前記傾斜部の傾斜を保持する請求項１記載の記録部。
【請求項３】
前記移動部は、さらに前記第２筒部の内部に移動可能に配置した筒状を呈する第３筒部と、を有し、前記第３筒部を前記筒部の内部から外部に移動することで、前記ペンシル保持部が傾斜可能となり、前記ペンシル保持部が傾斜したときに前記傾斜部の傾斜を保持する請求項１又は２記載の記録部。
【請求項４】
前記移動部は磁石に吸引する材料で構成され、かつペンシル保持部の上端部に磁力を有する磁石部と、をさらに有し、前記移動部を筒部の内部から外部に移動することで前記磁石部に当該移動部を吸引させる請求項１から３いずれか１項記載の記録部。
【請求項５】
前記請求項１から４いずれか１項記載の記録部を有するサベイヤー。
【発明の詳細な説明】
【技術分野】
【０００１】
本発明は、サベイヤーに使用する記録部に関するものである。
【背景技術】
【０００２】
虫歯、歯槽膿漏などにより抜歯等をした場合において、義歯を装着する場合があり、その抜歯をした箇所に適用させるための部分床義歯を作成する場合がある。
【０００３】
部分床義歯を設計するためには、患者から採取した歯科用模型をサベイヤーにセットし、その歯科用模型において、部分床義歯の着脱方向に対するアンダーカット部を示すための、模型の残存歯および歯槽部の最大豊隆部であるサベイラインを印記する。ここで、サベイヤーとは、その設計において、採取した模型の残存歯の平行性を確認したり、その模型の残存歯および歯槽部の最大豊隆部を印記することができる装置である。
【０００４】
例えば、特開平６-２９２６９４号公報にサベイヤーが開示されている。これは、最大豊隆部を結んだ線であるサベイラインを印記することができるものである。ここで、最大豊隆部とは、模型の残存歯および歯槽部において、水平方向にもっとも膨らんだ部分をいい、その部分を結んだ線をサベイラインという。
【０００５】
従来は、この残存歯のサベイラインに、部分床義歯をその残存歯に固定するための鉤となるスクラプを掛止していたが、その部分床義歯が、外れやすいという不具合が生じるようになった。そこで、サベイラインは、アンダーカット部と、非アンダーカット部を分けるためのものとし、部分床義歯を、患者の口腔内に配置して固定するためのクラスプアームの位置を決定するものとしないようにすることとなった。
【０００６】
そこで、クラスプアームの位置を決定する方法としては、サベイラインの近遠心径で中央部（最大豊隆部）付近からアンダーカット部に入り、走行するように示し、クラスプの先端の位置をアンダーカットゲージで印をつけ、歯冠の２分の１からアンダーカットゲージで記された部分を最短の距離でつなげる。このつなげた線を、クラスプアームの位置を決定するクラスプラインとすることとした。
【０００７】
しかしながら、このクラスプラインを、模型の残存歯（支台歯）に記すためには、歯科技工士にノウハウが求められるものであり、歯科技工士ごとに、クラスプラインの位置が異なることになる。
【先行技術文献】
【特許文献】
【０００８】
【特許文献１】特開平６-２９２６９４号公報
【発明の概要】
【発明が解決しようとする課題】
【０００９】
本発明は前記の点に着目してなされたもので、その課題は、異なる歯科技工士であっても、歯科用模型において、同様のクラスプラインを描けることができるサベイヤーに使用する記録部を提供することである。
【課題を解決するための手段】
【００１０】
前記の課題を解決する第１観点のサベイヤーに使用する記録部は、サベイヤーに取り付けるための取り付け部と、取り付け部に配置した筒状を呈する筒部と、筒部の内部に移動可能に配置した筒状を呈する移動部と、取り付け部に、回転可能に保持された傾斜部と、傾斜部に保持されたペンシル保持部と、を有し、移動部は、筒部の内部から外部に移動することで、ペンシル保持部が傾斜可能となり、ペンシル保持部が傾斜したときに傾斜部の傾斜を保持するというものである。
【００１１】
また、第２観点のサベイヤーに使用する記録部は、第１観点において、移動部は、筒部の内部に移動可能に配置した筒状を呈する第１筒部と、第１筒部の内部に移動可能に配置した筒状を呈する第２筒部と、を有し、第１筒部または第２筒部のいずれか一方または双方を筒部の内部から外部に移動することで、ペンシル保持部が傾斜可能となり、ペンシル保持部が傾斜したときに前記傾斜部の傾斜を保持するというものである。
【００１２】
また、第３観点のサベイヤーに使用する記録部は、第２観点において、移動部は、さらに第２筒部の内部に移動可能に配置した筒状を呈する第３筒部と、を有し、第３筒部を筒部の内部から外部に移動することで、ペンシル保持部が傾斜可能となり、ペンシル保持部が傾斜したときに傾斜部の傾斜を保持するというものである。
【００１３】
また、第４観点のサベイヤーに使用する記録部は、第１観点から第３観点において、移動部は磁石に吸引する材料で構成され、かつペンシル保持部の上端部に磁力を有する磁石部と、をさらに有し、前記移動部を筒部の内部から外部に移動することで磁石部にその移動部を吸引させるというものである。
【００１４】
また、第５観点のサベイヤーは、第１観点から第４観点における記録部を有するというものである。
【発明の効果】
【００１５】
本発明は以上のように構成され、かつ、作用するものであるから、異なる歯科技工士であっても、同様のクラスプラインを描けることができるサベイヤーに使用する記録部を提供することができる。
【図面の簡単な説明】
【００１６】
【図１】サベイヤーに記録部を配置した状態の状態図である。
【図２】Ａは記録部の平面図である。Ｂは記録部の底面図である。
【図３】Ａは、記録部の側面図である。
【図４】Ａは、記録部の断面図である。Ｂは、Ａ部の拡大断面図である。
【図５】Ａは、筒部の内部から外部に、第１筒部と、第２筒部と、第３筒部と、を移動した状態の断面図である。Ｂは、筒部の内部から外部に、第２筒部と、第３筒部と、を移動した状態の断面図である。Ｃは、Ｂは、筒部の内部から外部に、第３筒部と、を移動した状態の断面図である。
【図６】記録部にラチェットペンシルを配置し、移動部が移動しない状態の側面図である。
【図７】台座上に歯科用模型を配置し、サベイラインを描く状態の状態図である。
【図８】記録部にラチェットペンシルを配置し、移動部が移動した状態の側面図である。
【図９】Ａは台座上に歯科用模型を配置し、クラスプラインを描く状態をしめす状態図である。Ｂは、支台歯に、クラスプラインを描いた状態を示す状態図である。
【図１０】Ａは、支台歯にクラスプアームを配置した状態を示す状態図である。Ｂは、Ａの拡大図である。
【発明を実施するための最良の形態】
【００１７】
以下、図示の実施形態を参照して本実施例について説明する。本実施例の記録部１０は、サベイヤー１００に取り付けて使用するものである。サベイヤー１００は、従来周知のものであり、念のため説明すると、台座１０１は、図示しない机上に載置するための台となるものである。また、雲台１０２は、この台座１０１上において、後述する角度調整装置１０３を介して配置され、患者から採取した歯科用模型２００を載置し固定するためのものである。また、雲台１０２は、角度調整装置１０３によって、傾斜が可能となる。また、角度調整装置１０３は、雲台１０２上においてさらに回転可能に配置されている。
【００１８】
所定の長さを有する軸としての支柱１１０は、台座１０１上に立設されており、その支柱１１０に、第１アーム部１１１が、平面視において回転可能に取り付けられている。また、第２アーム部１１２は、支軸１１３により互いに回転するように第１アーム部１１１と接続されている。
【００１９】
第１アーム部１１１と、第２アーム部１１２とが支柱１１０を介して回転可能に取り付けられ、第２アーム部１１２に、ペンホルダー１１５が吊り下げられるように接続されている。ペンホルダー１１５は文字通り、図示しない筆記具を保持するためのもので、このペンホルダー１１５に、筆記具を取り付ければ、サベイラインを筆記することができる。
【００２０】
本実施例の記録部１０は、上記構成のサベイヤー１００に取り付けて使用するもので、患者の残存歯の模型である後述する支台歯２０１に、クラスプラインを描くことができるものである。記録部１０は、上述のペンホルダー１１５に取り付けるための取り付け部１１と、筒部２０と、移動部３０と、クラスプラインを描くためのラチェットペンシルを保持するためのペンシル保持部４０とを有する。また、取り付け部１１の内部に、ペンシル保持部４０の傾斜を許容し、かつ保持する傾斜部１５を有する。また筒部２０に螺子部１８を取り付ける。
【００２１】
取り付け部１１は、サベイヤー１００における筒状のペンホルダー１１５に取り付けるための孔１２と、上述の筒部２０を取り付けるための第２取り付け部１３とを有する。第２取り付け部１３は、ほぼ球状の空所１４を有し、その空所１４の内部に、ほぼ球状の傾斜部１５を配置している。傾斜部１５の中心を貫通するように孔１５ａがあけてあり、その孔１５ａに、筆記具４０を保持するための筒状のペンシル保持部４０を保持する。
【００２２】
第２取り付け部１３に球形状を呈する空間である空所１４を有し、その空所１４よりわずかに大きく、ほぼ球形状を呈する傾斜部１５が回転可能に保持されている。すなわち、球形状を呈する空間である空所１４に嵌合するように、ほぼ球形状を呈する傾斜部１５が配置されている。よって、その傾斜部１５が回転する場合に、その回転に対し抵抗力を発揮しつつ、それが回転し、傾斜したときに、その傾斜部１５は、傾斜した位置を保持することができる。
【００２３】
また、傾斜部１５は、その中心を貫通するように孔１５ａを有し、その孔１５ａにペンシル保持部４０が配置されている。傾斜部１５は、ペンシル保持部４０の傾斜を許容し、かつ、保持することができる。
【００２４】
また、ペンシル保持部４０の胴回りに溝状の第１凹部４１を有する。一方で、傾斜部１５の中心の孔の内部にも溝状の第２凹部１６を有する。ペンシル保持部４０の胴回りに溝状を呈する第１凹部４１に、欠円状のリテーナー１７を嵌合し、かつ、そのリテーナー１７が第２凹部１６と嵌合することによって、ペンシル保持部４０と、傾斜部１５が接続されている。
【００２５】
筒状を呈する筒部２０の内径は、後述する移動部３０の外径よりわずかに大となるように構成されている。このように、筒部２０の内部２０ａに、移動部３０を配置することができる。なお、断面視において筒部２０の高さより、第１筒部３１、第２筒部３２、第３筒部３３の順に、徐々に高さを高く構成している。使用者がそれら第１筒部３１、第２筒部３２、第３筒部３３を、掴みやすくするためである。
【００２６】
移動部３０は、筒部２０の内部に配置されその筒部２０の内部２０ａから外部へ移動することで、筒部２０の内部２０ａが空所となり、ペンシル保持部４０の傾斜を許容することができる。移動部３０は、筒部２０の内部２０ａから外部に移動可能に配置した筒状を呈する第１筒部３１と、その第１筒部３１の内部から外部に移動可能に配置した筒状を呈する第２筒部３２と、その第２筒部３２の内部から外部に移動可能に配置した筒状を呈する第３筒部３３と、を有する。これについては、後述する。なお、筒部２０と、第１筒部３１と、第２筒部３２と、第３筒部３３と、は、ともに円筒形状が好ましい。また、上述の螺子部１８は、筒部２０と、移動部３０における第１筒部３１と、第２筒部３２と、第３筒部３３とを固定するためのものである。よって、筒部２０と、第１筒部３１と、第２筒部３２と、第３筒部３３とを配置し、これらを貫通するメネジ部をそのそれぞれ配置することで、螺子部１８は、これらを筒部２０に固定することができる。
【００２７】
このように、いわば、入れ子のように、筒部２０内において移動部３０における第１筒部３１と、第２筒部３２と、第３筒部３３と、が配置されている。このように、筒部２０の内側に配置された移動部３０における第１筒部３１は、筒部２０に対してスライド移動可能に配置されている。また、第１筒部３１の内側に配置された第２筒部３２は、その第１筒部３１に対してスライド移動可能に配置されている。また、第３筒部３３の内側に配置された第２筒部３２は、その第３筒部３３に対してスライド移動可能に配置されている。尚、これらは、ガタつくことなく配置されている。
【００２８】
また、第３筒部３３の内部に、筒状のペンシル保持部４０を配置することができ、そのペンシル保持部４０の上端部４０ａに環状を呈し、磁力を有する磁石部４２が配置されている。これにより、スライド移動可能に配置されている第１筒部３１および第２筒部３２、第３筒部３３を磁力により吸着させることができる。従ってこの場合は、第１筒部３１および第２筒部３２、第３筒部３３を鉄材により構成することが好ましい。
【００２９】
また、移動部３０は、筒部２０の内部に配置され、移動部３０における第１筒部３１および第２筒部３２および第３筒部３３を、筒部２０の内部２０ａから外部に移動させることで、その内部２０ａが空所となり、ペンシル保持部４０の傾斜を許容することができる。この場合のペンシル保持部４０の傾斜する角度は１５度が好ましい。このとき傾斜部１５に配置されたペンシル保持部４０は傾斜し、ペンシル保持部４０が、筒部２０の上端部３０ｂに接触する。また、この場合の第１筒部３１および第２筒部３２および第３筒部３３は、磁石部４２に吸着することで、それらを保持することができる(図５Ａ参照)。
【００３０】
また、第１筒部３１を、筒部２０の内部２０ａに配置した状態において、第２筒部３２および第３筒部３３を、第１筒部３１の内部３１ａから外部に、すなわち、筒部２０の内部２０ａから外部に、移動させることで、ペンシル保持部４０の傾斜を許容することができる。第２筒部３２および第３筒部３３を、第１筒部３１の内部３１ａから外部に、移動させた場合のペンシル保持部４０の傾斜する角度は１０度が好ましい。この場合、この角度を後述するクラスプラインを描く際の標準とすることが好ましい。このとき傾斜部１５に配置されたペンシル保持部４０は傾斜し、ペンシル保持部４０が、第１筒部３１の上端部３１ｂに接触する。また、この場合の第２筒部３２および第３筒部３３は、磁石部４２に吸着することで、それらを保持することができる(図５Ｂ参照)。
【００３１】
また、第１筒部３１および第２筒部３２を、筒部２０の内部２０ａに配置した状態において、第３筒部３３を、第２筒部３２の内部３２ａから外部に、すなわち、筒部２０の内部２０ａから外部に、移動させることで、ペンシル保持部４０の傾斜を許容することができる。このとき傾斜部１５に配置されたペンシル保持部４０は傾斜し、ペンシル保持部４０が、第２筒部３２の上端部３２ｂに接触する。また、この場合、第３筒部３３のみを、第２筒部３２の内部３２ａから外部に移動させた場合のペンシル保持部４０の傾斜する角度は５度が好ましい。また、この場合の第３筒部３３は、磁石部４２に吸着することで、それらを保持することができる(図５Ｃ参照)。
【００３２】
上記構成の記録部１０を有するサベイヤー１００の使用方法について説明する。記録部１０を、サベイヤー１００に取り付ける。また、歯科用模型２００を雲台１０２に取り付ける。さらに、筒状のペンシル保持部４０に筆記するための赤色のラチェットペンシル５０を配置する(図６参照)。
【００３３】
筒状を呈する筒部２０の内側２０ａに、移動部３０における第１筒部３１が配置され、第１筒部３１の内側に、第２筒部３２が配置され、第２筒部３２の内側に、第３筒部３３が配置された状態において、赤色のラチェットペンシルが配置された筒状のペンシル保持部４０を、第３筒部３３の内側に配置する。
【００３４】
このとき筒状のペンシル保持部４０は、垂直方向に下向きとなる。この状態で、赤色のラチェットペンシル５０も垂直方向に下向きとなる。また、雲台１０２上に配置された歯科用模型２００におけるいわば患者の残存歯の模型である支台歯２０１と呼ばれる義歯を固定するクラスプを取り付けるベースとなるものに、その赤色のラチェットペンシル５０でサベイライン３００を描く(図７参照)。
【００３５】
具体的には、図示しない使用者は、赤色のラチェットペンシル５０が配置された筒状のペンシル保持部４０を把持し、支台歯２０１の周囲に、垂直方向に下向きの赤色のラチェットペンシル５０を接触させることで、支台歯２０１の垂直下向き方向に対して水平方向に膨らんだ最大豊隆部を結ぶラインを描く。これがサベイライン３００である(図７参照)。
【００３６】
次に、赤色のラチェットペンシル５０を、ペンシル保持部４０から取り外し、緑色のラチェットペンシル６０をペンシル保持部４０に配置する。また、移動部３０における第２筒部３２と、第３筒部３３とを第１筒部３１の内部３１ａから外部に上昇させるように移動させると、その内部２０ａは空所となる(図８参照)。この場合、ペンシル保持部４０の角度は１０度であることが好ましい。
【００３７】
図示しない使用者は、緑色のラチェットペンシル６０を傾斜させる。このとき傾斜部１５に配置されたペンシル保持部４０は傾斜し、ペンシル保持部４０が、第１筒部３１の上端部３１ｂに接触する。このときの傾斜部１５は、上記のとおり、ほぼ球状を呈し、その傾斜部１５は、空所１４に嵌合することで回転可能であり、かつ、それが回転したときにその回転した位置すなわち傾斜した位置を保持することができるので、そのペンシル保持部４０の傾斜した状態を維持することができる。従って、それに保持されている緑色のラチェットペンシル６０の傾斜も維持することができるために、その支台歯２０１において、描いた赤色のサベイライン３００の下部に緑色のクラスプライン４００を描く。この、緑色のクラスプライン４００を、支台歯２０１に描くことでクラスプアーム５００の設定位置とすることができる(図８Ａ、Ｂ参照)。
【００３８】
なお、移動部３０における第１筒部３１と、第２筒部３２と、第３筒部３３と、を筒部２０における内部２０ａから外部に上昇させるように移動させてから、ペンシル保持部４０は傾斜させるとその傾斜角は、１５度となる。この場合、クラスプライン４００の下に、別のクラスプラインを描くことができる。このようにクラスプライン４００より下に描くことで、より深くクラスプラインを設定することができる。また、第３筒部３３のみを、第２筒部３２の内部３２ａから外部に移動させた場合のペンシル保持部４０の傾斜する角度は５度となる。このようにクラスプライン４００より上に描くことで、より浅くクラスプラインを設定することができる。また、移動部３０における第２筒部３２のみを、筒部２０の外部に移動することもできる。
【００３９】
このように、記録部１０を、サベイヤー１００に取り付けて使用することで、異なる歯科技工士であっても、その歯科技工士の技量によらず、同様のクラスプライン４００を描けることができる。従って、図示しない義歯を固定するためのクラスプライン４００に沿うようにクラスプアーム５００を設定することができる。この場合、クラスプライン４００と、クラスプアーム５００の中心と、一致させるように、そのクラスプアーム５００を、支台歯２０１に配置することが好ましい。
【符号の説明】
【００４０】
１０  記録部
１１  取り付け部
１５  傾斜部
１８  螺子部
２０  筒部
３０  移動部
３１  第１筒部
３２  第２筒部
３３  第３筒部
４０  ペンシル保持部
４２  磁石部
１００  サベイヤー
１０１  台座
１０２  雲台
１０３  角度調整装置
１１０  支柱
１１１  第１アーム部
１１２  第２アーム部
１１３  支軸
１１５  ペンホルダー
【図１】
2020103404.tif 000003
【図２】
2020103404.tif 000004
【図３】
2020103404.tif 000005
【図４】
2020103404.tif 000006
【図５】
2020103404.tif 000007
【図６】
2020103404.tif 000008
【図７】
2020103404.tif 000009
【図８】
2020103404.tif 000010
【図９】
2020103404.tif 000011
【図１０】
2020103404.tif 000012